(57)【特許請求の範囲】
【請求項１】
矩形状もしくは正方形状の太陽電池パネルと、該太陽電池パネルの全周領域に配置され、前記太陽電池パネルの対向する辺に位置する一方の枠体及び他方の枠体を含む枠体と、を有する太陽電池モジュールと、
前記一方の枠体に配置される一方の架台と、
前記他方の枠体に、前記一方の架台と離間して配置される他方の架台と、
前記一方の架台上及び前記他方の架台上とにそれぞれ配設される重し部材と、を備え、
前記重し部材は、前記太陽電池モジュールの直下の領域から露出するように配設されていることを特徴とする太陽光発電装置。
【請求項２】
前記一方の架台および／または他方の架台に対し、前記太陽電池モジュールが挿入されるガイド部を設け、
前記ガイド部は、前記太陽電池モジュールの上面と当接する折り返し部を有することを特徴とする請求項１に記載の太陽光発電装置。
【請求項３】
前記一方の架台に配置する前記太陽電池モジュールの前記一方の枠体に対し、前記他方の架台に配置する前記太陽電池モジュールの前記他方の枠体が高くなるように、これら双方の架台を組合わせたことを特徴とする請求項１または２に記載の太陽光発電装置。
【請求項４】
前記重し部材の重量は、前記太陽光発電装置に加わる風に対する風荷重に耐え得ることを基準することを特徴とする請求項１ないし３のいずれかに記載の太陽光発電装置。
【発明の詳細な説明】
【技術分野】
【０００１】
本発明は、太陽エネルギーを利用して発電を行う太陽電池モジュールなどの太陽光発電装置に関し、とくに架台を用いて陸屋根上などに設置し固定する太陽光発電装置に関するものである。
【背景技術】
【０００２】
近年、太陽光を光に変換する太陽電池素子を複数接続した太陽電池モジュールを用いて、さらにこれを住宅の屋根などを発電部とする太陽光発電装置が普及してきた。そして、これに伴って、様々な屋根形状に対応した太陽電池モジュールが作られるようになってきた。
【０００３】
また、その屋根への取り付け方法についても、様々な構成が提案されている。
【０００４】
たとえば、屋根部材と一体的に製造された屋根一体型太陽電池モジュールや、屋根上の瓦材に対し、その上に縦桟や横桟から成る架台を組み、そして、この架台に太陽電池モジュールを設置する、いわゆる屋根置き型と呼ばれる設置方法も提案されている。
【０００５】
しかしながら、前述した設置方法によれば、主に傾斜した屋根上に設置する構成であり、そのために、ビルの屋上のように屋根上がほぼ平坦な状態をした住宅屋根（以下、このような住宅屋根を陸屋根と称する）に対し、太陽光発電装置を設置した場合、太陽電池モジュールへの太陽光の入射角度が浅くなり、通常、３０〜４０％程度の発電量の低下を生じさせていた。
【０００６】
このような問題点を解消すべく、図１２に示すような太陽光発電装置が提案されている。
【０００７】
同図は従来の太陽光発電装置の斜視図であり、太陽電池モジュールを傾斜させながら支持する構造であって、そのように太陽電池モジュールを傾斜設置するための架台を用いている。
【０００８】
以下、この太陽光発電装置の設置方法を述べる。
【０００９】
まず、水平設置面であるコンクリート製の屋根に穴を空けてアンカー埋設工事を行い、さらにこのアンカーに固定される基礎１をコンクリートなどの重量物によって形成する。そして、屋根へ打ち込まれたアンカーボルト（図示せず）などによって基礎１を固定する。
【００１０】
そして、このような基礎１の自重も寄与されることで、風等による負圧荷重で太陽電池モジュール等が飛ばされないよう支えられる。
【００１１】
つぎに複数の基礎１間の上に金属部材から成る長尺状の基台レール４を据え付けし、これら基台レール４上に支持金具３（３ａ〜３ｄ）を固定し、これら支持金具３の上に太陽電池モジュール２を支持固定する。
【００１２】
各支持金具３ａ〜３ｄについては、それぞれ寸法（丈）が異なっており、たとえば支持金具３ａが一番短く、支持金具３ｂ、支持金具３ｃの順に長くし、支持金具３ｄに対し、最も長くした構成にすることで、太陽電池モジュール２の設置角度を所要どおりに傾斜を持たせ、これにより、太陽光発電時の発電効率を向上させている。
【００１３】
太陽電池モジュール２の傾斜角度については、日本国内において、緯度との関係から、およそ３０〜４５度が一般的であり、３５度が発電効率が良い場合でも積雪地域などでは落雪効果を向上させるために４５度とすることもある。
【００１４】
また、支持金具３については、太陽電池モジュールを複数同時に支持するように成してもよく、たとえば支持金具３ｂと３ｃをひとつの部材として部品点数を削減する技術も提案されている（たとえば、特許文献１を参照）。
【００１５】
また、アンカー等の埋設工事を必要とせず、複数のレール材で組まれた架台の下部にコンクリート等の重量物を載置して、自重によって風等の負圧荷重に耐えられるようにした技術も提案されている（たとえば、特許文献２を参照）。
【特許文献１】特開平１１−１７７１１５号
【特許文献２】特開２００３−２３４４９２号
【発明の開示】
【発明が解決しようとする課題】
【００１６】
しかしながら、上記の従来技術によれば、基礎工事を行うことによって工事期間が長くなるという問題点があった。
【００１７】
また、設置面にアンカー打ちを必要とするために穴を開けることに起因して、そこから雨水が浸入するなどして設置面を痛め、損傷を与え、これにより、設置面の寿命を短くするという問題点もあった。
【００１８】
さらにまた、部品点数が多く、組み立て作業に時間を要し、しかも、部品一つ一つが重いことで、屋根上への部材の搬入（たとえば、主に屋外から梯子やクレーンで持ち上げる工程）、あるいは持ち運びについても、危険な作業であった。
【００１９】
さらに築年数が経過した建物に設置する場合、設置面の積載荷重が低下（耐久力の低下）しており、建物自体の崩壊を回避するために、予め支柱の位置を探し支柱の位置へアンカー打ちするなどの配慮も必要になってくる。
【００２０】
しかも、この場合、アンカーの打てる位置が、必ずしも太陽光発電装置の設置向きを、発電量が良くなるような条件にそっているとは限らず、これにより、最適な方位に太陽電池を設置することができず、発電量の低下をまねく場合があった。
【００２１】
さらには、この太陽光発電装置に用いる基台レールや金具、さらに基礎用コンクリート（基台レール等の固定部材等を埋め込んだ形状成形済みのもの）などは、長尺で且つ重量物であったために、トラックなどでの運搬時に荷台に対する部品の占有面積および体積が非常に大きくなり、これにより、運搬費が嵩むという問題もあった。
【００２２】
また、特許文献１によれば、アンカー工事をせずに発電する架台を提案しているが、太陽電池を設置する架台の構造については、従来工法と近似しており、構成部材が多く、組立てに、その時間を要するという問題点もある。
【００２３】
さらに風によって発生する風荷重に対してのカウンターウェイトについては、架台の枠内に挿入する構造であり、設置面に架台を全て設置し、その後に架台のレールの間を縫うようにして重量物であるカウンターウェイトを架台枠内に挿入することは、カウンターウェイトを分割しているとは言え、極めて困難な構造であって、カウンターウェイト挿入後に太陽電池モジュールを固定しなければならないといった工事の段取りに制限が生じることになっていた。
【００２４】
また、不図示であるが、このような構造によれば、隣り合う架台を隣接して配する場合、前記カウンターウェイトの挿入がより困難になることは容易に理解し得る。さらに仮に隣り合う架台との距離を、カウンターウェイトの長さ以上に設けて横側からの挿入を可能にしたとすると、太陽光発電装置間に設置不可の領域（面積）が生じ、これにより、設置面積当たりの発電効率が低下することは明白である。
【００２５】
また、特許文献２によれば、基礎部と呼ばれる部品を設置面に置き、前後左右の太陽電池と共有することによって部品点数を減らし、これにより、従来工法に対し部品点数の削減等が改善されるが、その反面、基礎部を正確に設置するために墨だし作業を正確に行わなければならず、もし、墨だし作業を正確に行うことができなければ、前後左右の太陽電池は正確に取り付けすることができず、作業者が現合で設置していかなければならず、個々への対応により組立てに時間を要することになる。
【００２６】
また、仮に墨だしを正確に行おうとしても、設置面のうねり、水抜き勾配、つなぎ面があり、ボルト固定（一般にＭ６〜Ｍ８程度）で太陽電池を固定する構造であるとするならば、墨だし精度は取り付け穴とボルト勘合部とのギャップ、すなわち２〜３ｍｍ以内の精度で墨出し作業を行わなければ、ボルトでの勘合は極めて難しいと言える。
【００２７】
したがって本発明は、このような課題に鑑みて完成されたものであり、その目的は簡単な構造にて、設置工事の際の組立て工程数を減らし、製作コストや製作時間を低減し、これによって低コスト化を達成した太陽光発電装置を提供することにある。
【００２８】
本発明の他の目的は、従来のごとき位置決めの精度を高めずにして、煩雑な工程を無くしたり、減らすことで、製作コストや製作時間を低減し、これによって低コスト化を達成した太陽光発電装置を提供することにある。
【００２９】
本発明のさらに他の目的は、従来のごとき、部品の運搬時の問題を解消して、運搬コストを低減し、これによって低コスト化を達成した太陽光発電装置を提供することにある。
【課題を解決するための手段】
【００３０】
本発明の太陽光発電装置は、矩形状もしくは正方形状の太陽電池パネルと、該太陽電池パネルの全周領域に配置され、前記太陽電池パネルの対向する辺に位置する一方の枠体及び他方の枠体を含む枠体と、を有する太陽電池モジュールと、前記一方の枠体に配置される一方の架台と、前記他方の枠体に、前記一方の架台と離間して配置される他方の架台と、前記一方の架台上及び前記他方の架台上とにそれぞれ配設される重し部材と、を備え、前記重し部材は、前記太陽電池モジュールの直下の領域から露出するように配設されていることを特徴とする。
【００３１】
本発明の太陽光発電装置は、前記一方の架台および／または他方の架台に対し、前記太陽電池モジュールが挿入されるガイド部を設け、前記ガイド部は、前記太陽電池モジュールの上面と当接する折り返し部を有することが好ましい。
【００３２】
本発明のさらに他の太陽光発電装置は、前記一方の架台および/または他方の架台に対し、重し部材を配すべく所定形状に成形したことを特徴とする。
【００３３】
前記一方の架台に配置する前記太陽電池モジュールの前記一方の枠体に対し、前記他方の架台に配置する前記太陽電池モジュールの前記他方の枠体が高くなるように、これら双方の架台を組合わせたことを特徴とする。
【００３４】
さらにまた、本発明の太陽光発電装置は、前記重し部材の重量は、前記太陽光発電装置に加わる風に対する風荷重に耐え得ることを基準することを特徴とする。
【発明の効果】
【００３５】
本発明の太陽光発電装置によれば、上記構成のように太陽電池モジュールの枠体のうち、対向する一方の枠体と他方の枠体に対し、一方の架台および他方の架台とを配置し、そして、これら架台に対し、それぞれ重し部材を配して、かかる太陽光発電装置を設置するように成し、これにより、なんら設置手段を用いなくても、置くだけであり、また、屋根等の設置面に対しアンカー工事を行わなくなり、基礎工事が不要となる。そして、これに伴って生じる屋根への雨水の浸入等の不具合が防止でき、さらに防水処理のための工事を省くことができる。
【００３６】
また、本発明によれば、一方の架台と他方の架台との双方とも、たとえば太陽電池モジュールに対しボルトなどでもって勘合し、そして、風荷重のカウンターウェイトとして、そのウェイト（重し部材）を設置することで、部品点数が大幅に削減される。
【００３７】
さらにまた、本発明によれば、屋根上への基礎の埋設工事が必要なくなり、そのために日射量の多い方角、すなわち発電量を多く取れる方位へ、適宜、設置することができ、効率的な発電ができる。
【００３８】
また、本発明の太陽光発電装置によれば、一方の架台および他方の架台に対し、それぞれカウンターウェイト（重し部材）を置く構造であり、これによって作業手順に制限を受けなくなり、その結果、作業効率が上がり、作製コストの低減をはかることができる。
【００３９】
たとえば、一方の架台と他方の架台を配置し、太陽電池モジュールを設置し、その後に一方の架台および他方の架台に対し、それぞれ重し部材を配するという工程があるが、他に、たとえば一方の架台および他方の架台に対し、それぞれ重し部材を配すると同時に、あるいは前後して、太陽電池モジュールを設置してもよく、その作業性を考えて、適宜、組立工程が選択でき、このように作業手順に制限を受けないことで、各様に組み立てることができる。
【００４０】
また、本発明によれば、基準となる部品は無く、また、墨だし作業を必要としないことから組立て時間を大幅に短縮できる。さらにまた、撤去やメンテナンス等での一部取外しも容易であり、太陽光発電装置を複数設置した太陽電池アレイとした場合、特に作業工数の削減が顕著になる。
【００４１】
さらに太陽電池モジュールが一方の架台や他方の架台に形成したガイド部に沿って載置してもよく、これにより、太陽電池モジュールの架台に対する位置合わせ（たとえばネジ位置合わせ）が容易になり、組立工程が簡単になる。
【００４２】
また、本発明によれば、一方の架台および/または他方の架台を、重し部材を配すべく所定形状に成形したことで、これら架台を運搬するに当り、架台を重ね合わせて運搬することができ、これにより、トラックなどの荷台のスペースを有効に利用することができ、その他、折り曲げ加工後の仮り置き時、設置現場に架台を仮置きする時など、そこでの限られたスペースや空間に多数の架台を保管することができ、保管場所に要する面積を縮小することができる。
【００４３】
また、折り曲げ辺のガイド部上部を折り返し構造として、ネジやボルトで太陽電池部を架台に固定するよりも強力、かつボルトの破断などの場合にも太陽電池部１０３の脱落がなく安全性が向上する。また、ガイド部が構造材自体の弾性力によって外側に広がるようにすれば、太陽電池部の載置、取外しが架台を動かすことなく行なえるので、負圧荷重に対する性能を向上させると同時に施工性も損なわない。
【００４４】
さらに本発明によれば、一方の架台に配置する太陽電池モジュールの一方の枠体に対し、他方の架台に配置する太陽電池モジュールの他方の枠体が高くなるように、これら双方の架台を組合わせたことで、太陽電池モジュールの設置角度を所要どおりに傾斜を持たせることができ、たとえば、３０〜４５度に設定することができ、これにより、太陽光発電時の発電効率を向上させることができる。
【００４５】
さらにまた、本発明によれば、前記重し部材の重量を、太陽光発電装置に加わる風に対する風荷重に耐え得ることを基準にしたことで、その重量を設定すればよく、そのような基準でもって風荷重に対し太陽光発電装置を耐え得るように設計できる。
【発明を実施するための最良の形態】
【００４６】
以下、本発明に係る太陽光発電装置の一実施形態について、模式的に図示した図面に基づいて詳細に説明する。
【００４７】
図１は架台と、前記太陽電池モジュールである太陽電池部と、前記重し部材であるウェイトを組み合わせた状態を示す斜視図であり、図２はこの太陽電池部の概略断面図、図３は本発明の太陽光発電装置の分解斜視図、図４は太陽電池モジュールを多数設置した様子を示す斜視図、図５および図６はそれぞれ前記他方の架台である上辺架台、前記一方の架台である底辺架台を示す斜視図である。
【００４８】
また、図７（ａ）は上辺架台の側面図であり、同図（ｂ）は上辺架台の背面図である。図８は複数の上辺架台を運搬するに当り、これらを重ね合わせた状態を示す斜視図である。
【００４９】
図９は太陽電池部を架台に装着した状態を示す側面図であり、図１０と図１１は太陽電池部を架台に装着する方法を示す側面図である。
【００５０】
つぎにこれら各図でもって詳述する。
【００５１】
図１に示すように、本発明の太陽光発電装置は、太陽電池部１０３と、この太陽電池部１０３を傾斜させて支持する上辺架台１０１と底辺架台１０２、ならびにこれら上辺架台１０１と底辺架台１０２とを、その設置場所から動かないようにするウェイト１０４とから構成される。
【００５２】
このウェイト１０４は、たとえばコンクリートブロックや鉄などの金属ブロックなどがある。
【００５３】
また、１０５は太陽電池部１０３を上辺架台１０１と底辺架台１０２に装着するに当り、これら架台の一部を成形してなる太陽電池部の装着部材である。
【００５４】
上辺架台１０１と底辺架台１０２は、たとえばアルミニウム金属やＳＵＳ、セラミックス、合成樹脂等から成る。
【００５５】
なお、この架台１０１、１０２を有する太陽電池部１０３とウェイト１０４とを組み合わされた構成を太陽電池ユニットＵと称する。
【００５６】
そして、この太陽電池ユニットＵを陸屋根上などに設置する。
【００５７】
上記太陽電池部１０３を図２により説明する。
【００５８】
たとえばシリコン等から成る太陽電池素子５の光電変換効果を利用して電力が得られるように構成したものであって、このような太陽電池素子５を複数個直列および/または並列に電気的に接続し、そして、耐候性のある素材で覆うように成し、所要の出力電圧や出力電流を得るように成す。
【００５９】
この太陽電池素子５は単結晶や多結晶シリコンなどの結晶系太陽電池や、薄膜系太陽電池などにより構成する。
【００６０】
かかる太陽電池部１０３においては、太陽電池素子５の受光面にはガラス板や合成樹脂板などの光透過板６を配置し、その裏面である非受光面にはテフロン（R）フィルムやＰＶＦ（ポリフッ化ビニル）、ＰＥＴ（ポレエチレンテレフタレート）などの耐候性フィルム７を被着し、光透過板６と耐候性フィルム７との間には、たとえばＥＶＡ（エチレン−酢酸ビニル共重合樹脂）などから成る透明な合成樹脂を介在し、充填材８と成し、これら光透過板６、太陽電池素子５および耐候性フィルム７の重ね構造の矩形状の本体に対し、その各辺周囲をアルミニウム金属やＳＵＳ等から成る枠体９を挟み込むように装着し、太陽電池部１０３の全体の強度を高めている。
【００６１】
このような枠体９の付いた太陽電池部１０３を図５と図７（ａ）に示すごとく、上辺架台１０１の折り曲げ部１２０の上方の受け部１２１上に載置する。
【００６２】
この受け部１２１は傾斜角θを有しており、上辺架台１０１の高さと底辺架台１０２の高さが異なるようにして載置され、これによって太陽電池部１０３が傾斜して設置されるように成す。
【００６３】
すなわち、底辺架台１０２に配置する太陽電池部１０３の枠体９の一方の枠体に対し、上辺架台１０１に配置する太陽電池部１０３の枠体９の他方の枠体が高くなるように、これら双方の架台を組合わせている。
【００６４】
また、ガイド部１２２が太陽電池部１０３の挿入のガイドとしての機能を備えている。
【００６５】
なお、底辺架台１０２も同様にして載置する。ただし、特に図示していない。
【００６６】
そして、図１に示すように太陽電池部１０３を上述した上辺架台１０１と底辺架台１０２との上に載置した状態で、ねじ等で上辺架台１０１と底辺架台１０２に対し、太陽電池部１０３を締め付け、そして、固定する。その後、上辺架台１０１および底辺架台１０２のそれぞれにウェイト１０４を載置する。
【００６７】
また、図５および図６に示すように、上辺架台１０１および底辺架台１０２の装着部材１０５を太陽電池部１０３の枠体９の長手方向に沿って挿入し、上辺架台１０１および底辺架台１０２の折り曲げ部１１０、１１１に接触するまで挿入し、その後、太陽電池部１０３の枠体９に設けられた穴（不図示）と、これら上辺架台１０１および底辺架台１０２に設けられた穴１１２および１１３とを、ボルトとナットによって締め付け、固定する構造である。
【００６８】
このような構造によれば、かかる組立てに際し、ねじ回し程度の工具のみで取り付けすることができ、従来工法と比較しても簡便な組立て方法になる。
【００６９】
このようにして組み立てられた太陽電池ユニットＵを、図４に示すように陸屋根上などに複数個設置することで、所要どおりの発電量が得られる太陽光発電装置となる。
【００７０】
同図によれば、太陽電池ユニットＵを９ユニット用いた場合であり、そして、かかる本発明の太陽光発電装置によれば、ウェイト１０４の設置の順番や、その設置のタイミングは他の作業に依存せず、各太陽電池ユニットＵを、所定の場所に設置した後に、適宜、ウェイト１０４が配置してもよい。
【００７１】
かくして本発明の太陽光発電装置によれば、上記構成のごとく、上辺架台１０１および底辺架台１０２において、図７（ｂ）に示すように底辺１２３の両端が折り曲げられて折り曲げ部１２０を構成する構造であり、これにより、図３に示すごとく、上辺架台１０１および底辺架台１０２の折り曲げ部に太陽電池部１０３を載置し、前記底辺１２３上にウェイト１０４を載せ、これにより、上辺架台１０１および底辺架台１０２の全体が設置場所に固定され、その結果、陸屋根上などに設置しても、風圧等で飛ばされたり、ひっくり返されることがなく、そして、屋根上へのアンカー打ちなどの基礎埋設工事が不要となる。
【００７２】
また、図４に示すように、太陽電池ユニットＵを複数配置した状態においても、上辺架台１０１および底辺架台１０２の底辺部に対し、上方から容易に作業でき、これにより、ウェイト１０４を載置したり、もしくは撤去することが容易にできる。
【００７３】
さらにウェイト１０４であるコンクリートブロックや鉄などの金属ブロックをいくつかの小ブロックに分割したものにして使用すれば、より施工が容易かつ安全になる。
【００７４】
また、上辺架台１０１と底辺架台１０２を用いて、太陽電池部１０３に対し、その対向辺に対応して、両側より装着する構成であり、これにより、太陽電池部１０３の裏面側には、上辺架台１０１と底辺架台１０２が当接しない領域が存在し、そして、一定の空間を生じることで通気用の空間が生まれ、かかる空気流でもって太陽電池部１０３が冷却され、その結果、かかる冷却効果により発電効率を向上させることができる。
【００７５】
つぎに上辺架台１０１と底辺架台１０２等の金具を運搬する場合の形態について説明する。
【００７６】
図７（ｂ）は上辺架台１０１の側面図である。
【００７７】
上辺架台１０１の曲げ加工によって垂直に折り曲げられた折り曲げ辺１２０は、１〜１５度（図中は６度で製造した例）の角度で逆ハの字に曲げ加工したものである。この例のように６度で製造した場合には、上辺架台１０１の折り曲げ辺１２０は、３°の角度でもって傾斜しており、同様に底辺架台１０２の折り曲げ辺１２０も３°の角度でもって傾斜している。
【００７８】
そして、図８に示すように上辺架台１０１（１０１ａ〜１０１ｄ）を重ねあわせて運搬することができ、これにより、トラックなどの荷台のスペースを有効利用でき、また、折り曲げ加工後の仮り置き時、設置現場に部材を仮置きするに当り、限られたスペースを有効に使用できる。底辺架台１０２についても、同様の加工を施することで、同じ作用効果を奏する。
【００７９】
また、図９に示すように折り曲げ辺１２０のガイド部１２２の上部を折り返し部１０のように折り返し構造として、太陽電池部１０３へ上辺架台１０１および底辺架台１０２をスライドさせて嵌め込む構成にしてもよく、これにより、風などによる負圧荷重で太陽電池部１０３が浮き上がろうとする力を折り返し部１０が抜け止めとなって支え、上辺架台１０１および底辺架台１０２自体が太陽電池部１０３を引き戻そうとするので、ネジやボルトで太陽電池部１０３を上辺架台１０１および底辺架台１０２に固定するよりも強力、かつボルトの破断などの場合にも太陽電池部１０３の脱落がなく、安全性が向上する。
【００８０】
なお、図中では上辺架台１０１を例に説明しているが、底辺架台１０２においても同様であり、特に図示していない。
【００８１】
また、前述した折り返し部１０を用いた構造において、図１０に示すようにガイド部１２２が構造材自体の弾性力によって外側に広がるようにすれば、太陽電池部１０３の載置、取外しが上辺架台１０１および底辺架台１０２を動かすことなく行なうことができ、これにより、負圧荷重に対する性能を向上させ、同時に施工性も損なわない。また、太陽電池部１０３の側部などをガイド部１２２にネジや留め金で止めてガイド部１２２が勝手に広がらないようにすると太陽電池部１０３の引き剥がしに対する抵抗力が増し、より安全性が増す。
【００８２】
また、図１１のように折り返し部１１自体が弾性力のある構造として、太陽電池部１０３を折り返し部１１が上辺架台１０１および底辺架台１０２の受け部１２１に押さえつけるようにして狭持するようにすれば、太陽電池部１０３をネジやボルトを用いないで、上辺架台１０１および底辺架台１０２に固定することができ、その結果、作業性を向上させることができる。
【００８３】
以上、詳述したように、本発明の太陽光発電装置によれば、基礎工事を必要としないことから、工期が短縮でき、さらに支柱の位置には影響を受けないことから、発電量が最大となる方位へ設置できる。
【００８４】
さらにまた、従来の工法の組立て時においては、色々な工具類を用いて作業を行っていたが、これに対し、部品点数が削減でき、たとえばねじ回し１本で組立て作業が完了する。
【００８５】
参考までに、図１２に示すごとき従来工法においては、太陽電池ユニット１枚当り、８点の部品が必要であったが、これに対し、本発明の太陽光発電装置においては、上辺架台１０１、底辺架台１０２およびウェイト１０４の計３点で構成されており、施工性、部品点数の削減、輸送性すべてにおいて優れている。
【図面の簡単な説明】
【００８６】
【図１】本発明の太陽光発電装置の斜視図である。
【図２】本発明の太陽光発電装置における太陽電池モジュールの概略断面図である。
【図３】本発明の太陽光発電装置の分解斜視図である。
【図４】本発明の他の太陽光発電装置の斜視図である。
【図５】本発明の太陽光発電装置における他方の架台の斜視図である。
【図６】本発明の太陽光発電装置における一方の架台の斜視図である。
【図７】（ａ）は本発明の太陽光発電装置における他方の架台の斜視図であり、（ｂ）はその背面図である。
【図８】本発明の太陽光発電装置において、他方の架台を運搬するに当り、これらを重ね合わせた状態を示す斜視図である。
【図９】太陽電池モジュールを架台に装着した状態を示す側面図である。
【図１０】太陽電池モジュールを架台に装着する方法を示す側面図である。
【図１１】太陽電池モジュールを架台に装着する方法を示す側面図である。
【図１２】従来の太陽光発電装置の斜視図である。
【符号の説明】
【００８７】
１０３・・・太陽電池部
１０１・・・上辺架台
１０２・・・底辺架台
１０４・・・ウェイト
１０５・・・太陽電池部の装着部材
Ｕ・・・太陽電池ユニット
【図１】
0004614668.tif 000002
【図２】
0004614668.tif 000003
【図３】
0004614668.tif 000004
【図４】
0004614668.tif 000005
【図５】
0004614668.tif 000006
【図６】
0004614668.tif 000007
【図７】
0004614668.tif 000008
【図８】
0004614668.tif 000009
【図９】
0004614668.tif 000010
【図１０】
0004614668.tif 000011
【図１１】
0004614668.tif 000012
【図１２】
0004614668.tif 000013